(57)【要約】【課題】電子レンジの調理室内外の飲食物などの対象物の温度を容易に測定することができる電子レンジの温度測定装置を提供する。【解決手段】飲食物を調理するための加熱部と、飲食物を収容する調理室１０６と、電子レンジの諸般調理動作を制御する制御部と、一端が前記制御部に電気的に連結された可変長ワイヤー３１０を有する温度測定装置とを含む。前記温度測定装置は、前記可変長ワイヤーの他端に連結された温度検出プローブ３０２と、前記可変長ワイヤーを巻き取り、前記制御部に電気的に連結される回転部材４０６とをさらに含む。【選択図】　図３
2004093099.tif 000002
【特許請求の範囲】
【請求項１】
飲食物を調理するための加熱部と、
飲食物を収容する調理室と、
電子レンジの諸般調理動作を制御する制御部と、
一端が前記制御部に電気的に連結された可変長ワイヤーを有する温度測定装置とを含んでなることを特徴とする電子レンジ。
【請求項２】
前記温度測定装置は、
前記可変長ワイヤーの他端に連結された温度検出プローブと、
前記可変長ワイヤーを巻き取り、前記制御部に電気的に連結される回転部材とをさらに含むことを特徴とする請求項１に記載の電子レンジ。
【請求項３】
前記温度測定装置は前記回転部材と前記制御部間に固着された固定長ワイヤーをさらに含み、
前記固定長ワイヤーは前記可変長ワイヤーと前記制御部を電気的に連結することを特徴とする請求項２に記載の電子レンジ。
【請求項４】
前記電子レンジは、
前記電子レンジの外観をなす本体と、
前記本体の外面に設けられ、前記温度検出プローブを堅く固定する挿着溝とをさらに含むことを特徴とする請求項１に記載の電子レンジ。
【請求項５】
前記電子レンジは、前記温度検出プローブを固定するため、前記挿着溝に設けられる固定部材をさらに含むことを特徴とする請求項４に記載の電子レンジ。
【請求項６】
前記温度測定装置は、前記電子レンジの内外の固体、気体及び液体のいずれか一つ以上の温度を測定するため、前記可変長ワイヤーを有することを特徴とする請求項１に記載の電子レンジ。
【請求項７】
前記電子レンジは表示部をさらに含み、
前記温度検出プローブは温度を読み取り電気信号に変換し、
前記制御部は前記電気信号を受けてデジタル信号に変換し、
前記表示部は前記変換されたデジタル信号に相当する数値を表示することを特徴とする請求項２に記載の電子レンジ。
【請求項８】
前記回転部材は、通常の状態では前記可変長ワイヤーを巻き取るため引き込み力を与え、前記回転部材に逆方向の力が作用すると、前記可変長ワイヤーを解くことを特徴とする請求項２に記載の電子レンジ。
【請求項９】
前記回転部材は、前記電子レンジの内外の固体、気体及び液体のいずれか一つ以上の温度を測定するのに十分な長さを与えるため、前記可変長ワイヤーを引き込み可能に解くことを特徴とする請求項２に記載の電子レンジ。
【請求項１０】
前記加熱部は、飲食物を調理するためマイクロ波を発生するマグネトロンを含むことを特徴とする請求項１に記載の電子レンジ。
【請求項１１】
前記電子レンジは壁掛け型電子レンジであることを特徴とする請求項１に記載の電子レンジ。
【請求項１２】
前記電子レンジは電子レンジの外観をなす本体をさらに含み、前記回転部材は前記本体内に設けられ、前記温度検出プローブは前記可変長ワイヤーの一部とともに本体の外部から引き出されるようになったことを特徴とする請求項２に記載の電子レンジ。
【請求項１３】
加熱部と、
調理室と、
諸般調理動作を制御する制御部と、
前記調理室の内外の固体、気体及び液体のいずれか一つ以上の温度を検出する温度測定装置とを含んでなり、前記温度測定装置は、
一端が前記制御部に電気的に連結された可変長ワイヤーと、
前記可変長ワイヤーの他端に連結された温度検出プローブとを含むことを特徴とする調理装置。
【請求項１４】
前記調理装置は前記調理装置の外観をなす本体を含み、前記温度検出プローブは前記可変長ワイヤーの一部とともに、前記本体の外面の所定部位に対して引き込まれるか又は引き出されることを特徴とする請求項１３に記載の調理装置。
【請求項１５】
前記温度測定装置は、前記可変長ワイヤーを巻き取る回転部材をさらに含むことを特徴とする請求項１３に記載の調理装置。
【請求項１６】
前記回転部材は、通常の状態では前記可変長ワイヤーを巻き取るため引き込み力を与え、前記回転部材に逆方向の力が作用すると、前記可変長ワイヤーを解くことを特徴とする請求項１５に記載の調理装置。
【請求項１７】
前記回転部材は前記調理装置の内部に設けられることを特徴とする請求項１５に記載の調理装置。
【請求項１８】
前記加熱部は、飲食物を調理するためマイクロ波を発生するマグネトロンを含むことを特徴とする請求項１３に記載の調理装置。
【請求項１９】
調理装置の外観をなす本体と、
加熱部と、
調理装置の諸般調理動作を制御する制御部と、
前記本体の内外の固体、気体及び液体のいずれか一つ以上の温度を検出するため、前記制御部に電気的に連結され、前記調理装置に対して引き込まれるか又は引き出される可変長ワイヤーを有する温度測定装置とを含むことを特徴とする調理装置。
【請求項２０】
前記加熱部は、飲食物を調理するためマイクロ波を発生するマグネトロンを含むことを特徴とする請求項１９に記載の調理装置。
【請求項２１】
飲食物を調理するための加熱部、調理装置をなす本体及び調理装置の調理動作を制御する制御部を有する調理装置用の温度測定装置において、
一端が前記制御部に電気的に連結される可変長ワイヤーと、
前記可変長ワイヤーの他端に連結された温度検出プローブとを含み、
前記可変長ワイヤーは、前記本体の内外の固体、気体及び液体のいずれか一つ以上の温度を検出するため、前記調理装置に対して引き込まれるか又は引き出されることを特徴とする温度測定装置。
【請求項２２】
前記温度測定装置は、通常の状態では前記可変長ワイヤーを巻き取るため引き込み力を与え、前記回転部材に逆方向の力が作用すると、前記可変長ワイヤーを解くことを特徴とする請求項２１に記載の温度測定装置。
【発明の詳細な説明】
【０００１】
【発明の属する技術分野】
本発明は電子レンジに係り、より詳しくは温度測定装置を備える電子レンジに関するものである。
【０００２】
【従来の技術】
一般に、電子レンジの温度センサーは電子レンジ内で調理される飲食物の温度を測定するのに用いられる。このような温度センサーは通常電子レンジの調理室内に設けられ、調理室の内部温度を測定することで、飲食物の温度を間接的に測定する。
【０００３】
図１は前述した温度センサーを備える従来の電子レンジを示す正面図である。
【０００４】
図１に示すように、本体１０２に設けられた調理室１０６内に温度センサー１１８が固着され、この温度センサー１１８は調理室１０６の内部温度を検出する。検出された温度は電子レンジの制御盤１１４に設けられた表示装置１１２に表示され、使用者はこの表示装置１１２に表示された値から現在の調理室１０６の内部温度を知ることができる。
【０００５】
図１に示す温度センサーは、飲食物から遠くに離れているため、飲食物の正確な温度を測定するのが難しい。このような問題を解決するため、図２に示すようなワイヤー形温度センサー２０２を用いる。
【０００６】
図２はワイヤー形温度センサー２０２を有する従来の電子レンジの正面図である。
【０００７】
前記ワイヤー形温度センサー２０２は、その一端にジャックが設けられ、他端に温度検出プローブが設けられている。調理室１０６の内部に設けられている端子（図示せず）にジャックを連結し、温度検出プローブを飲食物に接触して温度を直接測定するので、図１に示す温度センサーよりは正確な飲食物の温度を測定することができる。
【０００８】
しかし、このような従来の電子レンジに設けられた温度センサー１１８、２０２はただ調理室１０６の内部の飲食物の温度を測定することにその用途が限定されている。したがって、飲食物を調理するために用意している飲食材料の温度を測定するか、温水の温度を測定する場合には、別途の温度測定手段を用いなければならない不便が伴い、非効率的である。
【０００９】
【発明が解決しようとする課題】
したがって、本発明は前記のような従来の問題点を解決するためのもので、その目的は、本体の外部に長いワイヤーを介して温度検出プローブが連結される温度測定装置を提供して、電子レンジの調理室内の飲食物だけでなく、調理室の外部に位置する対象物の温度も容易に測定することができるようにする、電子レンジの温度測定装置を提供することにある。
【００１０】
【課題を解決するための手段】
前記目的を達成するため、本発明は、飲食物を調理するための加熱部と、飲食物を収容する調理室と、電子レンジの諸般調理動作を制御する制御部と、一端が前記制御部に電気的に連結された可変長ワイヤーを有する温度測定装置とを含んでなる電子レンジを提供する。
【００１１】
前記温度測定装置は、前記可変長ワイヤーの他端に連結された温度検出プローブと、前記可変長ワイヤーを巻き取り、前記制御部に電気的に連結される回転部材とをさらに含むことができる。
【００１２】
【発明の実施の形態】
以下、本発明による電子レンジの温度測定装置を添付図面に基づいて詳細に説明する。
【００１３】
図３ないし図５は本発明による温度測定装置を有する電子レンジを示す。
【００１４】
図３に示すように、電子レンジ本体３０４の前面には、温度検出プローブ３０２を着脱可能に挿着し得るように、挿着溝３０６が設けられる。温度検出プローブ３０２は可変長ワイヤー３１０を介して、本体３０４内に設けられた電装室（図示せず）に連結される。電装室には、電子レンジの諸般動作を制御する制御手段が設けられる。温度検出プローブ３０２は可変長ワイヤー３１０を介して制御手段に電気的に連結される。飲食物の温度は温度検出プローブ３０２で電気信号の形態に変換され、可変長ワイヤー３１０を介して制御部に伝達される。制御部はこの電気信号をデジタル信号に変換し、それに相応する数値を表示装置３０８に表示する。
【００１５】
使用者が挿着溝３０６に挿着されている温度検出プローブ３０２を引き出すと、可変長ワイヤー３１０も共に引き出され、温度検出プローブ３０２が本体３０４の周囲の比較的遠い距離まで到達することができる。可変長ワイヤー３１０は本体３０４内で所定の回転部材に巻き取られているため、使用者が温度検出プローブ３０２を引き出すと、回転部材が回転しながら、巻き取られている可変長ワイヤー３１０を解いて、温度検出プローブ３０２が比較的遠い位置まで到達できるようにする。温度検出プローブ３０２、可変長ワイヤー３１０、及び回転部材を含んでなる本発明による電子レンジの温度測定装置を図４に基づいて説明する。
【００１６】
図４に示すように、挿着溝３０６内に設けられた固定部材４０４に温度検出プローブ３０２が固着される。この固定部材４０４は弾性体からなっているので、使用者が温度検出プローブ３０２を手前に引き寄せると、固定部材４０４から容易に分離される。
【００１７】
温度検出プローブ３０２に連結される可変長ワイヤー３１０は、本体３０４の内部底面に回転可能に設置される回転部材４０６に巻き取られている。この回転部材４０６は可変長ワイヤー３１０の長さを可変させるためのものである。使用者が温度検出プローブ３０２を引き出すと、回転部材４０６に巻き取られている可変長ワイヤー３１０が解けるとともに回転部材４０６が正回転する。使用者が温度検出プローブ３０２を引き出した後、温度検出プローブ３０２を放すと、回転部材４０６に設けられている弾性部材（図示せず）の弾性力により回転部材４０６が逆回転することにより、可変長ワイヤー３１０が回転部材４０６に巻き取られる。
【００１８】
回転部材４０６は固定長ワイヤー４１２を介してプリント基板４０８に電気的に連結される。プリント基板４０８には温度測定回路が形成されている。この温度測定回路は、温度検出プローブ３０２により検出される温度値を量子化しデジタル信号に変換してから電子レンジの制御部に伝達する。
【００１９】
図５は図３及び図４に示す電子レンジの温度測定装置の使用例を示す正面図である。同図に示すように、本発明による電子レンジの温度測定装置により、調理すべき飲食物及び調理対象でないそのほかの飲食物の温度を自由に測定することができる。例えば、乳児に授乳するためのビン詰め牛乳５０２の温度を測定して、授乳に適した温度であるか否かを確認することができ、調理すべき飲食物材料５０４の温度を予め測定することもできる。また、調理に先立ち、調理油の温度又は沸騰水の温度が適当であるか否かを測定することができるので、本発明の電子レンジの温度測定装置は従来の電子レンジの温度センサーより便利で効果的に用いることができる。
【００２０】
【発明の効果】
以上説明したように、本発明による電子レンジは、本体の外部に、可変長ワイヤーを介して温度検出プローブが連結される温度測定装置を設けることにより、電子レンジの調理室内の飲食物だけでなく、調理室の外部に位置する対象物の温度も容易に測定することができる。
【００２１】
この明細書では、本発明を電子レンジを参照して説明したが、本発明は、壁掛け型電子レンジなどのほかの調理装置と、飲食物を調理するためにマイクロ波を発生するマグネトロン以外の加熱装置を有する調理装置にも適用することができる。
【図面の簡単な説明】
【図１】従来の温度センサーを備える電子レンジの正面図である。
【図２】ほかの従来の温度センサーを備える電子レンジの正面図である。
【図３】本発明による温度測定装置を備える電子レンジの正面図である。
【図４】図３に示す電子レンジの温度測定装置の構造を示す断面図である。
【図５】図３に示す電子レンジの温度測定装置の使用例を示す正面図である。
【符号の説明】
３０２　温度検出プローブ
３０４　本体
３０６　挿着溝
３０８　表示装置
３１０　ワイヤー
４０４　固定部材
４０６　回転部材
４０８　プリント基板
４１２　固定長ワイヤー
【図１】
2004093099.tif 000003
【図２】
2004093099.tif 000004
【図３】
2004093099.tif 000005
【図４】
2004093099.tif 000006
【図５】
2004093099.tif 000007